(57)【特許請求の範囲】
【請求項１】
縦長の棺を収容できるスペースを有し、該スペース内に設置される棺の長手方向における一端側の後壁（８）に主燃バーナ（９）を備えている主燃焼室（２）と、該主燃焼室（２）における主燃バーナ（９）を設けた側の上方部に設けられ未燃焼ガスを流出する煙道（１１）と、該煙道（１１）に連続して設けられ再燃バーナ（１３）を備えている再燃焼室（３）とからなる火葬炉において、主燃焼室（２）内の前記棺が設置される部位における一方の側方に空洞部（１５）を主燃焼室（２）の全長に亘って設け、前記主燃バーナ（９）を、後壁（８）のうち空洞部（１５）に対向する位置に片寄せて設けていると共に、主燃バーナ（９）を上下及び左右に揺動可能に設けていることを特徴とする火葬炉。
【請求項２】
前記主燃焼室（２）の主燃バーナ（９）を設けている面の後壁（８）に修整窓（１０）を、主燃焼室（２）内に設置される棺の前端面に対面して設けていることを特徴とする請求項１に記載の火葬炉。
【発明の詳細な説明】
【０００１】
【発明の属する技術分野】
本発明は、主燃バーナを備える主燃焼室と再燃バーナを有する再燃焼室とを設けている火葬炉であって、特に前記両室を連結して主燃焼室から発生する未燃焼ガスを再燃焼室へ誘導する煙道の挿入口が、主燃焼室における主燃バーナ寄りの上方部に開口してある形態の火葬炉に関する。
【０００２】
【従来の技術】
主燃焼室は縦長の棺を収容できる縦長のスペースを備え、その長手方向の一方の端部に棺を入れる防火扉付きの開放口を有し、他端側に主燃バーナを設けているもので、主燃焼室内に棺を設置した際、棺の前端面が主燃バーナに近接するもので、火葬の当初は主燃バーナの火炎を弱くして火葬を始め、棺の前端面の一部が燃焼して、火炎が棺内に噴入した時点より火炎を強くして火葬することが最も好ましく、火葬作業者に対して以上のように操作するように指示されているものである。
【０００３】
【発明が解決しようとする課題】
しかし実際にはそのように行われず、火葬当初より強い火炎で火葬を始めるために、燃料が無駄に消費さればかりではなく、殊に棺の前端面の板が一般に３〜５ｃｍもある厚いものであり、その燃焼に比較的時間（一般に４〜６分）が掛かり、また燃料が油であると、噴射された油が燃焼されることなく棺の前端面にそのまま付着し、黒煙を発することになり、再燃焼室での燃焼処理に大きな負担が掛かるため、火葬を開始する前から再燃焼室を稼働して室内温度を高くしておく必要があり、そのためにここでも多くの燃料を消費するという問題があった。
【０００４】
本発明は以上の問題を解決することにあり、火葬の当初より強い火炎で火葬を始めても、黒煙の発生を極力抑え、強い火炎が無駄なく棺の燃焼に消費できるようにすることにある。
【０００５】
【課題を解決するための手段】
本発明による解決手段は、主燃焼室内の前記棺が設置される部位における一方の側方に空洞部を主燃焼室の全長に亘って設け、前記主燃バーナを、後壁のうち空洞部に対向する位置に片寄せて設けていると共に、主燃バーナを上下及び左右に揺動可能に設けていることを特徴とする。
【０００６】
前記のように空洞部を設ける手段には、主燃焼室内の幅を従来のものよりやや広くなるように形成する場合と、その幅は従来のものと同様であるが、炉体の側壁における内面を全長に亘って、主燃焼室内側が開放した溝状に切欠して形成する場合とがある。
【０００７】
また主燃バーナを上下左右に揺動可能に支持するには、従来知られているユニバーサルジョイントによって可能となるものである。
【０００８】
前記主燃焼室の主燃バーナを設けている面の後壁に修整窓を、主燃焼室内に設置される棺の前端面に対面して設けていることを特徴とする。
【０００９】
以上のように主燃バーナが棺の前端面と対面する後壁に一方へ片寄せて設けられることから、修整窓をその後壁に棺の前端面と対面するように設けることができ、その部位は後壁のほぼ中央部となることから、火葬中の点検時に点検すべき位置の前後左右を的確に把握することができるようになるものであり、しかも従来の修整窓よりも大きく開口することができ、火葬中の修整が容易になるものである。
【００１０】
【発明の実施の形態】
本発明を実施形態によって説明すると、図１から図３に示しているように、炉体１の下部に主燃焼室２を備え、その上部に再燃焼室３を備えるもので、主燃焼室２は縦長の棺Ｈを台車４に載置して収まる縦長のスペースを有するものであって、その長手方向の一端部側の前壁５に、防火扉６で開閉される出入口７を有し、反対側の後壁８に主燃バーナ９と修整窓１０を備えるものである。また、主燃焼室２の後壁８寄りの上部に煙道１１の挿入口１２が開放してあり、煙道１１は前記再燃焼室３へ通じている。再燃焼室３には、前記後壁８の上方部に設けた再燃バーナ１３からの火炎が噴入され、排煙筒１４よりガスを大気へ排出するようになっている。
【００１１】
上記主燃焼室２内の横幅を従来の横幅より広く形成したもので、即ち、主燃焼室２内に棺Ｈを設置した状態で、その棺Ｈの側部に空洞部１５が主燃焼室２の全長に亘って作成できるように形成したものである。
【００１２】
一方前記後壁８に設ける主燃バーナ９を、図１に示しているように、前記空洞部１５に対面するように取り付けるもので、しかもその取付手段は、ユニバーサルジョイントによるもので、具体的には、回転自在の起立軸１６に二股状のフレーム１７を設け、該フレーム１７内に主燃バーナ９を横軸１８で上下に揺動自在に設けたものである。また、防音の点から、カバー２０によって主燃バーナ９を覆うことが好ましい。
【００１３】
以上のように主燃バーナ９が後壁８に片寄せて設けられるから、後壁８に、前記修整窓１０を棺Ｈの中心部とほぼ対面し、且つ中心部に向かう状態で、しかも従来の修整窓の大きさよりも大きな面積をもって設けるものである。
【００１４】
次ぎに図４に示す例は、前記例の空洞部１５の設ける手段が異なるもので、主燃焼室２の横幅は従来のものと同様の幅であるが、炉体１の一方の側壁１９の内面を全長に亘って切欠して空洞部１５を設けたもので、主燃バーナ９及び修整窓１０の取付構造は前記例と同様である。
【００１５】
以上のように主燃焼室２内に空洞部１５を設け、その空洞部１５に向けて主燃バーナ９を設けているから、火葬時に、主燃バーナ９を空洞部１５に向けて稼働することにより、噴射された火炎は棺Ｈの前端面に投射されることなく、棺Ｈの一方の側面を舐めるように走り、防火扉６に当たって曲がり、しかも煙道１１が主燃焼室２の後壁８寄りに設けているから、火炎は棺Ｈの前記とは反対側の側面側を通じて後壁８に向かって走り、火葬の当初より強い火炎を噴射しても、火炎が棺Ｈの周囲を覆うように走り、その間に燃焼に必要な空気が供給されて棺Ｈの周囲を加熱して燃焼し、そこに発生した未燃焼ガスの一部は主燃焼室２内で燃焼され、且つ煙道１１を通じて再燃焼室３へ誘導されるものである。また棺Ｈが燃焼し遺体を火葬する時点では、主燃バーナ９を左右へ且つ上下に傾斜して火葬するものである。
【００１６】
【発明の効果】
本発明による火葬炉であれば、主燃焼室に空洞部を設け、主燃バーナを空洞部に向けて設けたもので、主燃バーナからの火炎が棺の周囲を囲繞するから、その間に火炎に触れて棺を火葬するものであり、従って火葬の当初より強い火炎を発しても、不完全燃焼を起こすことなく却って棺の燃焼が迅速に行われ、火葬に要する所要時間を短縮し、燃料の消費を節減することができるようになるものである。
【００１７】
また、修整窓を後壁のほぼ中央部に設けられることから、炉内での火葬状況を点検する際、炉内の前後左右の距離感を確実に把握することができ、主燃バーナの火炎を確実に所要位置へ向けて火葬することができ、このことからも火葬が促進され、時間を短縮する効果を発揮するものである。
【図面の簡単な説明】
【図１】本発明による火葬炉を平面より見て示す断面図である。
【図２】同じく側面より見た断面図である。
【図３】同じく正面より見た断面図である。
【図４】本発明による他の例による火葬炉を正面より見て示す断面図である。
【符号の説明】
１  炉体
２  主燃焼室
３  再燃焼室
８  後壁
９  主燃バーナ
１０  修整窓
１１  煙道
１２  挿入口
１３  再燃バーナ
１５  空洞部
【図１】
0003878311.tif 000002
【図２】
0003878311.tif 000003
【図３】
0003878311.tif 000004
【図４】
0003878311.tif 000005